(57)【要約】  【課題】  仮に少ない水の量で繰り返し洗浄するとしても洗浄容器を清潔に保ち得る洗浄容器の防汚構造を提供する。  【解決手段】  本洗浄容器の防汚構造は、略水平な内底面１１と、内底面１１から起立し内底面１１を包囲する側壁１２とを有する容器本体１０と、内底面１１又は側壁１２に開口する排水口１３と、排水口１３よりも下方の位置で外部に開口する吐出口１４とを有する排水管１５とを備える洗浄容器に防汚機能を付与するにあたり、内底面１１及び側壁１２の内側に載置可能に形成される袋本体２１と、袋本体２１の下部に接続され、排水管１５に挿通可能に形成される管部２２とを有する洗浄袋２０を用意し、管部２２を排水管１４に挿通し、管部２２の先端部を排水管１５の外側に折り返し、袋部２１を内底面１１及び側壁１２の内側に載置すると共に、袋部２１の上部を側壁１２の上縁１２ａで折り返し、容器本体１０の外側に垂下する。【選択図】  図５
2017070578.tif 000002
【特許請求の範囲】
【請求項１】
略水平な内底面と、前記内底面から起立し前記内底面を包囲する側壁とを有する容器本体と、
前記内底面又は前記側壁に開口する排水口と、前記排水口よりも下方の位置で外部に開口する吐出口とを有する排水管とを備える洗浄容器に防汚機能を付与するにあたり、
前記容器本体の前記内底面及び前記側壁の内側に載置可能に形成される袋本体と、
前記袋本体の下部に接続され、前記排水管に挿通可能に形成される管部とを有する洗浄袋を用意し、
前記管部を前記排水管に挿通し、
前記袋部を前記容器本体の前記内底面及び前記側壁の内側に載置すると共に、前記袋部の上部を前記側壁の上縁で折り返し、前記容器本体の外側に垂下することを特徴とする洗浄容器の防汚構造。
【請求項２】
前記容器本体は、洗浄用ボウルである請求項１記載の洗浄容器の防汚構造。
【請求項３】
前記管部の先端部を前記排水管の外側に折り返し、前記排水管の先端部には、雄ねじ部が形成され、排水タンクに導入されるホースの先端部に取り付けられるキャップの雌ねじ部を前記雄ねじ部に螺合して前記排水管を前記ホースに接続し、前記袋本体に接液する汚水を前記排水タンクに回収する請求項１または２記載の洗浄容器の防汚構造。
【請求項４】
前記管部の先端部を終端し、前記管部の先端部に、前記袋本体に接液する汚水を回収する請求項１から３のいずれかに記載の洗浄容器の防汚構造。
【請求項５】
請求項１記載の洗浄容器の防汚構造に使用可能に形成され、
前記容器本体の前記内底面及び前記側壁の内側に載置可能に形成される袋本体と、
前記袋本体の下部に接続され、前記排水管に挿通可能に形成される管部とを備える洗浄袋。
【発明の詳細な説明】
【技術分野】
【０００１】
本発明は、洗浄用ボウルに代表される洗浄容器に防汚機能を付加する構造及びそれに使用する洗浄袋に関するものである。
【背景技術】
【０００２】
医療、介護での治療や施術、あるいは理美容院等のサービスを提供する際には、手、頭、足等の治療や施術及びサービスを受ける利用者の体の各部位を洗浄することが多い。このような洗浄を行う際には、洗浄用ボウル等の洗浄容器が使用され、洗浄のために水やお湯等が使用されることになるから、必然的に洗浄後の汚水を処理しなければならなくなる。
【０００３】
利用者の各部位には、真菌、細菌、ウイルス等の種々の疾病を引き起こす病原体、老廃物或いは排泄物が付着しているおそれがある。したがって、不特定多数の利用者を洗浄する際には、洗浄後に洗浄容器を洗浄及び消毒し、清潔を保つことが必要である。
【０００４】
特に、利用者が高齢者、入院患者である場合のように、免疫力の低下が懸念される場合には、より慎重に対応することが必要となる。
【０００５】
しかしながら、できるだけ使用する水の量を少なくしながら、一般的な洗浄容器を繰り返し使用しても、清潔を保ちやすくするための技術は知られていない。特許文献１（特開２００９−７９３５４号公報）は、大量の水を使用して、洗面ボウルを洗い流す技術を開示するが、このような技術では、特に、災害時のように、水の確保自体が難しくなり、使用する水の量が厳しく制限されるような場合、全く対応できない。
【特許文献１】特開２００９−７９３５４号公報
【発明の開示】
【発明が解決しようとする課題】
【０００６】
そこで本発明は、仮に少ない水の量で繰り返し洗浄するとしても洗浄容器を清潔に保ち得る洗浄容器の防汚構造を提供することを目的とする。
【課題を解決するための手段】
【０００７】
第１の発明に係る洗浄容器の防汚構造は、略水平な内底面と、内底面から起立し内底面を包囲する側壁とを有する容器本体と、内底面又は側壁に開口する排水口と、排水口よりも下方の位置で外部に開口する吐出口とを有する排水管とを備える洗浄容器に防汚機能を付与するにあたり、容器本体の内底面及び側壁の内側に載置可能に形成される袋本体と、袋本体の下部に接続され、排水管に挿通可能に形成される管部とを有する洗浄袋を用意し、管部を排水管に挿通し、袋部を容器本体の内底面及び側壁の内側に載置すると共に、袋部の上部を側壁の上縁で折り返し、容器本体の外側に垂下する。
【０００８】
この構成において、洗浄袋の管部が排水管に挿通され、袋部が容器本体の内底面及び側壁の内側に載置されると共に、袋部の上部が側壁の上縁で折り返され、容器本体の外側に垂下する。
【０００９】
即ち、容器本体内において利用者の部位を洗浄しても、汚水は、洗浄袋に接液するのみであって、洗浄容器そのものには接しない。したがって、汚水に病原体等が含まれていたとしても、その病原体が他の利用者に付着するおそれはきわめて低い。
【００１０】
洗浄を行っても、洗浄袋を使い捨てにし、利用者ごとに交換すれば、洗浄容器は、基本的に清潔に保持される。この際、水の使用量は、部位の洗浄に必要な量のみで足り、洗浄容器自体を洗浄するための水は基本的に必要ない。よって、災害時のように水の確保が困難な場合であっても、洗浄容器の清潔を保持しやすくなる。
【００１１】
好ましくは、第１の発明において、容器本体は、洗浄用ボウルである。
【００１２】
好ましくは、第１の発明において、管部の先端部を排水管の外側に折り返し、排水管の先端部には、雄ねじ部が形成され、排水タンクに導入されるホースの先端部に取り付けられるキャップの雌ねじ部を雄ねじ部に螺合して排水管をホースに接続し、袋本体に接液する汚水を排水タンクに回収する。
【００１３】
好ましくは、第１の発明において、管部の先端部を終端し、管部の先端部に、袋本体に接液する汚水を回収する。
【００１４】
このようにすれば、水の使用量が少ない場合、排水タンク自体が不要となり、災害時等では一層対応が容易となる。
【発明の効果】
【００１５】
本発明は、以上のように構成したので、洗浄容器を汚水から遮断する洗浄袋を使い捨てにすることにより、仮に少ない水の量で繰り返し洗浄するとしても洗浄容器を清潔に保ち得る。
【発明を実施するための最良の形態】
【００１６】
（実施の形態１）
以下図面を参照しながら、本発明の実施の形態を説明する。
【００１７】
図１は、本発明の実施の形態１における洗浄容器の断面図、図２は、同洗浄袋の装着過程を示す断面図、図３及び図４は、同キャップの装着過程を示す断面図である。
【００１８】
図１に示すように、本形態の洗浄容器の防汚構造は、容器本体１０と、洗浄袋２０とを主たる要素とする。
【００１９】
本形態の洗浄容器は、洗浄用ボウルであり、容器本体１０は、略水平な内底面１１と、内底面１１から起立し内底面１１を包囲する側壁１２とを有する。側壁１２の上縁１２ａの内側は、容器本体１０の開口部１８となっており、この開口部１８を介して、利用者３４の各部位を容器本体１０内へ至らしめることができる。
【００２０】
容器本体１０には、排水管１５が設けられており、排水管１５は、内底面１１又は側壁１２に開口する排水口１３と、排水口１３よりも下方の位置で外部に開口する吐出口１４とを有する。なお、排水に支障がない限り、本形態の洗浄容器として、他に桶、バケツ、洗面器等を使用してもよい。
【００２１】
また、排水管１５の外側中程には、フランジ１６が設けられ、排水管１５の外周面であって、フランジ１６よりも排水口１４側には、雄ねじ部１７が形成されている。
【００２２】
一方、洗浄袋２０は、透明又は半透明の薄い樹脂フィルム（たとえば、ポリエチレン等）から形成される使い捨ての袋である。
【００２３】
洗浄袋２０は、容器本体１０の内底面１１及び側壁１２の内側に載置可能に形成される袋本体２１と、袋本体２１の下部に接続され、排水管１５に挿通可能に形成される管部２２とを有する。
【００２４】
さらに詳しくは、袋本体２１は、その上縁部２１ｂを広げると略円筒状をなし得るように形成されており、上端部に開口部２１ａを有し、袋本体２１の右下角部に連結部２３が開設され、連結部２３に袋本体２１よりも小径のフィルムパイプからなる管部２２の上端部が溶着されてなる。
【００２５】
洗浄袋２０は、可撓性及び水密性を保持できる限り、任意に形成することができる。
【００２６】
そして、図１、図２に示すように、洗浄袋２０を洗浄前（つまり、容器本体１０が清潔であるうち）に洗浄容器１０に装着する。即ち、管部２２を排水管１５に挿通し、管部２２の余剰部分をハサミ等でカットする。また、袋部２０を容器本体１０の内底面１１及び側壁１２の内側に載置すると共に、袋部２１の上部を側壁１２の上縁１２ａで折り返し、容器本体１０の外側に垂下する。
【００２７】
さらに、図３、図４に示すように、管部２２の先端部を排水管１５の外側に折り返し、排水管１５の先端部に形成された雄ねじ部１７に、キャップ３０の雌ねじ部３１を螺合する。これにより、雄ねじ部１７と雌ねじ部３１のねじ山の間、あるいは谷と谷との間に排水管１５が噛み込むことになるため、一種のシールテープ様の封水効果が期待できる。
【００２８】
また、図５〜図７に示すように、キャップ３０には、汚水３４を排水タンク４０に導くホース３２が接続されている。なお、キャップ３０としては、たとえば塩化ビニル製の市販の排水管用部材を使用することができるし、ホース３２には、市販されている蛇腹状のフレキシブルホースを用いることができ、排水タンク４０としては、灯油等を収容するための市販のポリタンクを使用できる。
【００２９】
このように、洗浄袋２０を容器本体１０に装着すると、洗浄袋２０により、容器本体１０は、汚水３４から遮断される。即ち、洗浄袋２０からの漏洩等がない限り、容器本体１０は汚水３４に接液することはなく、清潔に保持される。
【００３０】
図５は、同洗浄容器による頭部洗浄状態を示す断面図である。ベッド４２に仰向きに横たわる利用者４３の頭部４４を洗浄するには、まず、上述のように準備した容器本体１０を昇降調整可能な載置台４１上に載せ、ベッド４２のレベルに容器本体１０の上縁１２ａの高さがほぼ一致するようにセットする。勿論、ベッド４２側が昇降できるときは、ベッド４２側のレベルを調整して対応しても良いことは言うまでもない。
【００３１】
そして、利用者４３の頭部４４にシャンプーヘッド４５からお湯又は水をかけ、頭部４４の洗浄を行う。このとき、シャンプーヘッド４５から吐出されたお湯又は水は、頭部４４に当たると、直ちに汚れや病原体等を含みうる汚水３４となるが、上述したように汚水３４は、洗浄袋２０に接することはあっても、容器本体１０には触れないので、洗浄が終了するまで、容器本体１０は清潔な状態を保持することになる。なお、シャンプーヘッド４５は、理美容院等においてシャワーヘッドと呼ばれることもある。
【００３２】
汚水３４は、容器本体１０に触れることなく、洗浄袋２０の袋本体２１と、管部２２と、ホース３２とを経由して、排水タンク４０に回収される。勿論、頭部４４から抜けた頭髪、油分、フケ、埃、シャンプー液等も汚水３４と共に排水タンク４０に回収される。
【００３３】
図６は、同洗浄容器による足洗浄状態を示す断面図である。利用者４３の足４６を洗浄する場合も、頭部４４を洗浄する場合とほぼ同様である。但し、頭部４４よりも水量は少なくなりがちである。常識的な洗浄を行う場合、約３００ｃｃ程度以下の水量を想定できるから、その程度の水量でも水漏れが発生しない程度に洗浄袋２０の体積を設定すればよい。足浴を行うべく、温水などの溜め水により足のケア及び洗浄による衛生保持を図る場合も同様である。
【００３４】
（実施の形態２）
実施の形態２では、実施の形態１との相違点のみを述べ、説明の重複を避ける。
【００３５】
さて、図７は、本発明の実施の形態２における洗浄袋を示す斜視図である。たとえば、単に手を洗う等、使用される水量が少ない場合、図７に示すように、ホース３２等に接続せずに、管部２２の先端部を縛って封止部２２ａとし、封止部２２ａまでの管部２２の体積だけで、汚水３４を回収してもよい。
【００３６】
このようにすると、より構成を簡素にすることができる。図７に示すように、管部２２ないに吸水体２２ｂを挿入しておくことが望ましい。こうすると、吸水体２２ｂにより逆流を防止できるし、管部２２ごと排水口１３から引き抜けば、吸水体２２ｂを容易に排除できる。吸水体２２ｂは、液体を吸収する吸収性コア（図示せず）と、コアラップ（図示せず）とを有するのが好ましい。吸収性コアは、親水性繊維、高吸収性ポリマーを含む。親水性繊維の例としては、粉砕パルプ、コットン等のセルロース、レーヨン、フィブリルレーヨン等の再生セルロース、アセテート、トリアセテート等の半合成セルロース、粒子状ポリマー、繊維状ポリマー、熱可塑性疎水性化学繊維、親水化処理を施した熱可塑性疎水性化学繊維等を単独又は混合して用いることができる。これらの中でも、低コストと吸収体の成形し易さとを考慮すると、粉砕パルプを使用することが好ましい。親水性繊維に高分子吸収体を混合したものを使用してもよい。
【００３７】
さらに、図８に示すように、管部２４は、袋本体２１の右下角部だけでなく、側部や底部の所望の位置に、複数本設けてもよい。しかしながら、できるだけシンプルに構成する方が、コストや取り扱いの容易さを考慮すると望ましい。
【００３８】
（実施の形態３）
実施の形態３では、実施の形態１、２との相違点のみを述べ、説明の重複を避ける。
【００３９】
さて、図９は、本発明の実施の形態３におけるキャップの封止要領を示す断面図である。実施の形態１、２よりもさらに使用する水量が少ないか、とりあえず、一人の利用者のみを洗浄すれば足りるような場合、図９に示すように、排水管１５を直ちに栓３３で封鎖するだけでもよい場合が考えられる。栓３３で封鎖すると、図６に鎖線で示すように、例えばレベルＬまでお湯をはり、少ない水量で足浴を行える。この場合、ホース３２及び排水タンク４０は、省略しても良い。なお、栓３３は、図９に示すように、水の出口側から装着しても良いが、逆に、入り口側（排水管１５側）から装着しても良い。
【００４０】
（実施の形態４）
実施の形態４では、実施の形態１〜３との相違点のみを述べ、説明の重複を避ける。
【００４１】
実施の形態４は、実施の形態１〜３よりもさらに深刻で洗浄容器自体を確保できない場合（たとえば、被災時等）を想定している。
【００４２】
このような場合、洗浄袋２０をそのまま使用すると、洗浄袋２０が平坦になってしまい、水又はお湯を洗浄袋２０に溜めることができず、洗浄が不可能になってしまう。
【００４３】
ここで、図１０は、本発明の実施の形態４における洗浄袋使用態様を示す側面図、図１１は、同洗浄袋使用態様を示す平面図、図１２は、同洗浄袋使用態様を示す側面図である。
【００４４】
図１１に平面視で示すように、洗浄容器の代わりに、バスタオルのように大型のタオルを筒状に巻いたものを、ほぼ円環をなすように丸めて、ベッド４２の上に載置する。つまり、洗浄容器の代わりになるような堰４７をベッド４２上に形成する。勿論、堰４７として、タオルではない他の部材（例えば、浮き輪、枕など）を使用することもできる。
【００４５】
また、管部２２は、堰４７よりも下方に垂下させておく。管部２２の終端要領は、使用する水の量を考慮して実施の形態１〜３のいずれかを選択すればよい。
【００４６】
こうすれば、図１０に示すように、頭部４４を洗浄することもできるし、図１１に示すように、足４６を洗浄することもできる。
【００４７】
以上の説明において、洗浄する部位は、頭部４４及び足４６を例に取り上げたが、本発明は、これらの部位に限定されるものではなく、利用者の必要な部位を洗浄することもできる。さらには、利用者の部位のみならず、他に洗浄を要する道具などを洗浄することもできる。以上の説明により、本形態の洗浄袋は、広範な用途に適用できる点が理解されよう。
【００４８】
災害時において、本発明の洗浄袋は、限られた水を有効に活用し、陰部あるいは他の体の部位（頭髪や口腔も含む）を洗浄し衛生を保持するために使用できる。溜め水があれば、溜め水をこの洗浄袋内へ部分的に供給し、この洗浄袋を使い捨てにすることにより、不特定多数の人が、衛生的に洗顔、身体清拭、陰部洗浄等することができる。災害時における排泄についても同様に、洗浄容器、桶、バケツ、あるいは洗面器等に本発明の洗浄袋を装着し、防汚構造とすれば、同様に対応できる。例えば、小水は、図７に示すように管部２２の先端部を縛り、封止部の体積で汚水を回収できる。大便は、洗浄袋の底部に定着し、小水の跳ね返りが少ない状態で排泄できる。その際、吸水体２２ｂにより逆流を防止できるのは、上述の通りである。汚水の逆流を防止し、袋本体２１及び管部２２を閉塞すれば、汚水は閉空間内に封鎖され、周囲環境を汚染することなく、衛生的に回収、廃棄又は処理できる。なお、災害時には、段ボール箱、木箱等の通常は容器として扱われない部材であっても、容器として活用できることが、昨今の被災時において明らかとなっている。したがって、これらの箱も、本発明の袋本体が装着される容器類に含まれる。
【図面の簡単な説明】
【００４９】
【図１】本発明の実施の形態１における洗浄容器の断面図
【図２】本発明の実施の形態１における洗浄袋の装着過程を示す断面図
【図３】本発明の実施の形態１におけるキャップの装着過程を示す断面図
【図４】本発明の実施の形態１におけるキャップの装着過程を示す断面図
【図５】本発明の実施の形態１における洗浄容器による頭部洗浄状態を示す断面図
【図６】本発明の実施の形態１における洗浄容器による足洗浄状態を示す断面図
【図７】本発明の実施の形態２における洗浄袋を示す斜視図
【図８】本発明の実施の形態２における洗浄袋の管部終端要領を示す斜視図
【図９】本発明の実施の形態３におけるキャップの封止要領を示す断面図
【図１０】本発明の実施の形態４における洗浄袋使用態様を示す側面図
【図１１】本発明の実施の形態４における洗浄袋使用態様を示す平面図
【図１２】本発明の実施の形態４における洗浄袋使用態様を示す側面図
【符号の説明】
【００５０】
１０  容器本体
１１  内底面
１２  側壁
１２ａ  上縁
１３  排水口
１４  吐出口
１５  排水管
１６  フランジ
１７  雄ねじ部
２０  洗浄袋
２１  袋本体
２１ａ  開口部
２１ｂ  上縁部
２２、２４  管部
２２ａ  封止部
２３  連結部
３０  キャップ
３１  雌ねじ部
３２  ホース
３３  栓
３４  汚水
４０  排水タンク
４１  載置台
４２  ベッド
４３  利用者
４４  頭部
４５  シャンプーヘッド
４６  足
４７  堰
【図１】
2017070578.tif 000003
【図２】
2017070578.tif 000004
【図３】
2017070578.tif 000005
【図４】
2017070578.tif 000006
【図５】
2017070578.tif 000007
【図６】
2017070578.tif 000008
【図７】
2017070578.tif 000009
【図８】
2017070578.tif 000010
【図９】
2017070578.tif 000011
【図１０】
2017070578.tif 000012
【図１１】
2017070578.tif 000013
【図１２】
2017070578.tif 000014